(57)【要約】  【課題】  確実に電力消費を低減することができるポータブル型ディスク再生装置を提供する。  【解決手段】  ディスクＤを再生する再生部１０と、各部に電源を供給するバッテリ１３とを有し、携帯してディスクを再生可能なポータブル型ディスク再生装置１において、ディスクＤに記録された本編の再生を検出する本編検出手段を有し、本編の再生終了時に電源を停止する省電力モードを設けた。【選択図】      図２
2006054026.tif 000002
【特許請求の範囲】
【請求項１】
ディスクを再生する再生部と、前記再生部から出力される映像を表示する表示部と、各
部に電源を供給するバッテリとを有し、携帯してディスクを再生可能なポータブル型ディ
スク再生装置において、ディスクに記録された最も時間の長いタイトルを本編と判断して
本編の再生を検出する本編検出手段を有し、前記バッテリによる駆動時に本編の再生が終
了すると電源を停止する省電力モードを設けるとともに、前記省電力モードにより本編の
再生終了後電源を停止するまでの時間を設定する時間設定手段を設けたことを特徴とする
ポータブル型ディスク再生装置。
【請求項２】
ディスクを再生する再生部と、各部に電源を供給するバッテリとを有し、携帯してディ
スクを再生可能なポータブル型ディスク再生装置において、ディスクに記録された本編の
再生を検出する本編検出手段を有し、本編の再生終了時に電源を停止する省電力モードを
設けたことを特徴とするポータブル型ディスク再生装置。
【請求項３】
前記省電力モード時に本編の再生終了後電源を停止するまでの時間を設定する時間設定
手段を設けたことを特徴とする請求項２に記載のポータブル型ディスク再生装置。
【請求項４】
前記バッテリにより駆動した時に前記省電力モードに設定されることを特徴とする請求
項２または請求項３に記載のポータブル型ディスク再生装置。
【請求項５】
前記本編検出手段はディスクに記録された最も時間の長いタイトルを本編と判断するこ
とを特徴とする請求項２〜４のいずれかに記載のポータブル型ディスク再生装置。
【請求項６】
前記本編検出手段はディスクに記録された所定のタイトル番号のタイトルを本編と判断
することを特徴とする請求項２〜４のいずれかに記載のポータブル型ディスク再生装置。
【発明の詳細な説明】
【技術分野】
【０００１】
本発明は、ディスクを再生する携帯可能なポータブル型ディスク再生装置に関する。
【背景技術】
【０００２】
バッテリを搭載して携帯しながらディスクを再生可能なポータブル型ディスク再生装置
は、バッテリの消費を抑制する必要がある。特許文献１にはバッテリの消費を抑制できる
ディスク再生装置が開示されている。このディスク再生装置は、ディスクの再生信号を監
視して再生信号がなくなったことを検出すると電源を停止する。これにより、無駄な電力
消費を防止することができるようになっている。
【特許文献１】実開昭６４−２４５６１号公報（第６頁−第７頁）
【発明の開示】
【発明が解決しようとする課題】
【０００３】
ＤＶＤ等のディスクには映画等の本編とメイキング場面等のボーナストラック等から成
る複数のタイトルが記録されるとともに、言語等の初期設定を行う設定画面が記録されて
いる。このため、タイトルの再生停止時には次の所望の処理を開始するためにメニュー画
面が表示される。従って、上記特許文献１に開示されたディスク再生装置によると、各タ
イトルの再生を停止しても再生信号が出力されるため電源が停止されず、電力消費を抑制
することができない問題があった。
【０００４】
本発明は、確実に電力消費を低減することができるポータブル型ディスク再生装置を提
供することを目的とする。
【課題を解決するための手段】
【０００５】
上記目的を達成するために本発明は、ディスクを再生する再生部と、前記再生部から出
力される映像を表示する表示部と、各部に電源を供給するバッテリとを有し、携帯してデ
ィスクを再生可能なポータブル型ディスク再生装置において、ディスクに記録された最も
時間の長いタイトルを本編と判断して本編の再生を検出する本編検出手段を有し、前記バ
ッテリによる駆動時に本編の再生が終了すると電源を停止する省電力モードを設けるとと
もに、前記省電力モードにより本編の再生終了後電源を停止するまでの時間を設定する時
間設定手段を設けたことを特徴としている。
【０００６】
この構成によると、バッテリの駆動によってディスクに記録された情報が再生部により
再生され、表示部に映像が表示される。ディスクには映画等の本編やメイキング場面等が
記録され、本編検出手段によってディスクに記録された最も時間の長いタイトルが本編と
判断される。バッテリにより駆動されている間は省電力モードに設定され、本編検出手段
により検出された本編の再生が終了すると時間設定手段によりユーザ設定された所定時間
の経過後にポータブル型ディスク再生装置の電源が停止される。時間設定手段によって本
編の再生終了と同時に電源を停止してもよい。
【０００７】
また本発明は、上記構成のポータブル型ディスク再生装置において、ディスクを再生す
る再生部と、各部に電源を供給するバッテリとを有し、携帯してディスクを再生可能なポ
ータブル型ディスク再生装置において、ディスクに記録された本編の再生を検出する本編
検出手段を有し、本編の再生終了時に電源を停止する省電力モードを設けたことを特徴と
している。
【０００８】
この構成によると、バッテリの駆動によってディスクに記録された情報が再生部により
再生される。ユーザ操作またはバッテリ装着の検知等によって省電力モードに設定される
と、本編検出手段により検出された本編の再生が終了するとポータブル型ディスク再生装
置の電源が停止される。尚、ディスクには映画等による映像データ及び音声データが記録
されていてもよく、音楽等による音声データのみ記録されていてもよい。
【０００９】
また本発明は、上記構成のポータブル型ディスク再生装置において、前記省電力モード
時に本編の再生終了後電源を停止するまでの時間を設定する時間設定手段を設けたことを
特徴としている。この構成によると、本編の再生が終了すると時間設定手段によりユーザ
設定された所定時間の経過後にポータブル型ディスク再生装置の電源が停止される。
【００１０】
また本発明は、上記構成のポータブル型ディスク再生装置において、前記バッテリによ
り駆動した時に前記省電力モードに設定されることを特徴としている。
【００１１】
また本発明は、上記構成のポータブル型ディスク再生装置において、前記本編検出手段
はディスクに記録された最も時間の長いタイトルを本編と判断することを特徴としている
。
【００１２】
また本発明は、上記構成のポータブル型ディスク再生装置において、前記本編検出手段
はディスクに記録された所定のタイトル番号のタイトルを本編と判断することを特徴とし
ている。
【発明の効果】
【００１３】
本発明によると、バッテリによる駆動時に本編の再生が終了すると再生信号があっても
電源を停止する省電力モードを設けたので、ポータブル型ディスク再生装置の電力消費を
確実に低減することができる。
【００１４】
また本発明によると、省電力モード時に本編の再生終了後電源を停止するまでの時間を
設定する時間設定手段を設けたので、本編の再生終了後ユーザ操作により継続して使用す
ることもでき、ポータブル型ディスク再生装置の使い勝手が向上する。
【００１５】
また本発明によると、バッテリにより駆動した時に省電力モードに設定されるので、省
電力モードに切り替える操作を必要とせず、ポータブル型ディスク再生装置の使い勝手が
より向上する。
【００１６】
また本発明によると、本編検出手段はディスクに記録された最も時間の長いタイトルを
本編と判断するので、本編の再生を容易に検出することができる。
【００１７】
また本発明によると、本編検出手段はディスクに記録された所定のタイトル番号のタイ
トルを本編と判断するので、本編の再生を容易に検出することができる。
【発明を実施するための最良の形態】
【００１８】
以下に本発明の実施形態を図面を参照して説明する。図１は第１実施形態のポータブル
型ディスク再生装置の構成を示すブロック図である。ポータブル型ディスク再生装置１は
各部を制御する制御部２を有している。制御部２には復調部５、駆動部６、デコーダ７、
記憶装置８、操作部９、バッテリ１３が接続される。
【００１９】
駆動部６はディスクＤに書き込まれた情報を読み取る光ピックアップ３を駆動する。光
ピックアップ３にはＲＦアンプ４が接続され、ＲＦアンプ４には復調部５が接続される。
ＲＦアンプ４は光ピックアップ３で検出された高周波の検出信号を増幅する。復調部５は
ＲＦアンプ４で検出された検出信号からデータを復調する。
【００２０】
制御部２に接続されるデコーダ７は復調部５により復調されたデータを復号化する。デ
コーダ７には出力部１１が接続され、復号化されたデータが出力される。出力部１１には
画像を表示する表示部１２及びスピーカ（不図示）が接続されている。従って、光ピック
アップ３、ＲＦアンプ４、復調部５、制御部２、デコーダ７、出力部１１、表示部１２及
びスピーカによりディスクＤに書き込まれた映像データ及び音声データを再生する再生部
１０が構成されている。
【００２１】
制御部２に接続される操作部９はポータブル型ディスク再生装置１の本体部または本体
部と通信可能なリモートコントローラ（不図示）に設けられ、ユーザ操作によって制御部
２に対して各種指示を行う。記憶装置８はＥＥＰＲＯＭやＲＡＭ等から成り、ポータブル
型ディスク再生装置１を駆動するプログラムを格納するとともに、制御部２の演算結果等
を一時記憶する。
【００２２】
バッテリ１３は充電することができ、制御部２を介して各部に電源を供給してポータブ
ル型ディスク再生装置１を携帯して駆動できるようになっている。また、家庭用電源を接
続してポータブル型ディスク再生装置１を駆動することもできるようになっている。
【００２３】
図２はポータブル型ディスク再生装置１の動作を示すフローチャートである。ポータブ
ル型ディスク再生装置１の電源を投入すると記憶装置８に格納されたプログラムが起動す
る。ステップ＃１１では操作部９に設けられた省電力スイッチがオンになっているか否か
が判断される。省電力スイッチがオフの場合はステップ＃１３に移行する。
【００２４】
省電力スイッチがオンの場合はステップ＃１２で省電力モードが設定される。省電力モ
ードにより例えば、表示部１２の光量を下げて電力の消費を抑制するようになっている。
ステップ＃１１でバッテリ１３を装着しているか否かを判断してバッテリ１３の装着時に
省電力モードを設定してもよい。これにより、省電力スイッチの操作を必要とせず、ポー
タブル型ディスク再生装置１の使い勝手が向上する。
【００２５】
ステップ＃１３ではメニュー画面を表示するか否かが判断される。ディスクＤに書き込
まれた設定によってメニュー画面を表示しない場合はステップ＃１６に移行する。メニュ
ー画面を表示する場合はステップ＃１４で表示部１２にメニュー画面を表示する。ステッ
プ＃１５では映画等の本編やメイキング場面等のボーナストラックのタイトルの再生が選
択されたか否かが判断される。いずれかのタイトルの再生が選択された場合はステップ＃
１６に移行する。
【００２６】
タイトルの再生が選択されない場合は、ステップ＃２２で電源オフの操作が行われたか
否かが判断される。電源オフの操作が行われない場合はステップ＃１４に戻り、ステップ
＃１４、＃１５、＃２２が繰り返し行われてユーザ操作を待機する。尚、メニュー画面に
は言語設定の選択項目が表示され、言語設定の選択項目を選択すると言語の設定を行うこ
とができるようになっている。
【００２７】
ステップ＃１６では選択された映画等の本編またはボーナストラックから成るタイトル
の再生が行われる。また、メニュー画面を表示しなかった場合は自動的に本編の再生が行
われる。ステップ＃１７では再生中のタイトルが最も再生時間の長いタイトルか否かが判
断される。最も再生時間の長いタイトルでない場合はステップ＃１９に移行し、最も再生
時間の長いタイトルの場合はステップ＃１８に移行する。
【００２８】
ステップ＃１８では、再生時間が最も長いタイトルが通常本編になっているため、本編
の再生中であることが記憶装置８に記憶される。これにより、本編の再生中か否かを検出
する本編検出手段が構成されている。尚、ディスクＤには通常本編のタイトル番号が「１
」と記録されるので、タイトル番号が「１」等の所定の番号の場合に本編の再生と判断し
てもよい。
【００２９】
ステップ＃１９ではタイトルの再生終了を待機する。タイトルの再生が終了するとステ
ップ＃２０で記憶装置８を参照して本編の再生であったか否かを判別する。本編の再生で
なかった場合はステップ＃２２に移行する。本編の再生であった場合はステップ＃２１で
省電力モードか否かを判別する。省電力モードでない場合はステップ＃２２に移行する。
【００３０】
ステップ＃２２では電源オフの操作が行われたか否かが判断される。電源オフの操作が
行われない場合はステップ＃１４に戻ってメニュー画面が表示される。電源オフの操作が
行われた場合はステップ＃２３で電源がオフされ、終了する。また、ステップ＃２１の判
断により省電力モードの場合はステップ＃２３に移行し、直ちに電源をオフにして終了す
る。
【００３１】
本実施形態によると、省電力モード時に本編の再生が終了すると、メニュー画面を表示
する再生信号の出力があっても電源を停止するので、ポータブル型ディスク再生装置の電
力消費を確実に低減することができる。
【００３２】
次に、図３は第２実施形態のポータブル型ディスク再生装置１の動作を示すフローチャ
ートである。本実施形態のポータブル型ディスク再生装置１は第１実施形態と同様に構成
され、同図においてステップ＃３０のタイマー計時処理が設けられている。その他の部分
は第１実施形態と同様であるので説明を省略する。
【００３３】
ステップ＃２１で省電力モードであると判断した場合にはステップ＃３０に移行し、図
４に示すタイマー計時処理が呼び出される。タイマー計時処理のステップ＃３１では本編
の再生が終了すると直ちに制御部２に設けたタイマーが計時を開始する。ステップ＃３２
では操作部９によるユーザ操作が行われた否かが判断される。
【００３４】
ユーザ操作が行われない場合はステップ＃３３でタイマーの計時が所定時間が経過した
か否かが判断される。この所定時間は制御部２により動作する時間設定手段によって予め
ユーザにより例えば０秒〜１０秒に設定されている。所定時間が経過しない場合はステッ
プ＃３２に戻り、所定時間が経過するまでユーザ操作の有無を判別しながら待機する。
【００３５】
所定時間の経過前にユーザ操作が行われるとステップ＃３４に移行して操作に基づいた
処理が行われる。ユーザ操作が行われずに所定時間が経過すると図３のステップ＃２３に
移行して電源をオフにして終了する。
【００３６】
本実施形態によると、省電力モード時に本編の再生終了後電源を停止するまでの時間を
設定できるので、本編の再生終了後直ちに電源を停止することができるとともにユーザ操
作により継続してポータブル型ディスク再生装置１を使用することもできる。従って、ポ
ータブル型ディスク再生装置１の使い勝手がより向上する。尚、時間設定手段により上記
所定時間を０秒に設定することにより第１実施形態と同一の動作が行われる。
【００３７】
第１、第２実施形態において表示部１２を設けているが、別途設けた表示装置に接続し
て映像を見ることのできるポータブル型ディスク再生装置であってもよい。また、映像デ
ータを記録しないディスクＤを再生して音声データのみを出力するポータブル型ディスク
再生装置であってもよい。
【産業上の利用可能性】
【００３８】
本発明は、ＤＶＤ、Ｖｉｄｅｏ−ＣＤ、ＨＤ  ＤＶＤ（登録商標）、ブルーレイディス
ク等の映像データと音声データとを記録したディスクや、ＣＤ等の音声データのみを記録
したディスクを再生するディスク再生装置に利用することができる。
【図面の簡単な説明】
【００３９】
【図１】本発明の第１実施形態のポータブル型ディスク再生装置の構成を示すブロック図
【図２】本発明の第１実施形態のポータブル型ディスク再生装置の動作を示すフローチャート
【図３】本発明の第２実施形態のポータブル型ディスク再生装置の動作を示すフローチャート
【図４】本発明の第２実施形態のポータブル型ディスク再生装置のタイマー計時処理の動作を示すフローチャート
【符号の説明】
【００４０】
１    ポータブル型ディスク再生装置
２    制御部
３    光ピックアップ
４    ＲＦアンプ
５    復調部
６    駆動部
７    デコーダ
８    記憶装置
９    操作部
１０    再生部
１１    出力部
１２    表示部
１３    バッテリ
【図１】
2006054026.tif 000003
【図２】
2006054026.tif 000004
【図３】
2006054026.tif 000005
【図４】
2006054026.tif 000006